(57)【要約】【課題】２つの筐体を重ねた閉状態のままでも直ちに通話の可能な状態にすることができると共に、通話の際にマイクが口元に届かないことによりユーザーが違和感を覚えるということのない重ね型携帯電話機を提供する。【解決手段】少なくとも表示部１１とスピーカー１３ａ，１３ｂを有する第１筐体３２と、少なくとも主操作部１７とマイク１５を有する第２筐体３４とが開閉可能に連結され、主操作部１７は閉状態にて第１筐体３２により塞がれ且つ開状態にて外側に露出すると共に、表示部１１の表示面１２及びスピーカー１３ａ，１３ｂは閉状態及び開状態のいずれの状態でも外側に露出させることが可能な重ね型携帯電話機３０であって、閉状態にて通話することができると共に、閉状態での通話中から開状態としても通話を継続させることができる通話制御部６３を有する。【選択図】      図１
2004166054.tif 000002
【特許請求の範囲】
【請求項１】
少なくとも表示部とスピーカーを有する第１筐体と、少なくとも主操作部とマイクを有する第２筐体とが開閉可能に連結され、
前記主操作部は閉状態にて前記第１筐体により塞がれ且つ開状態にて外側に露出すると共に、前記表示部の表示面及びスピーカーは閉状態及び開状態のいずれの状態でも外側に露出させることが可能な重ね型携帯電話機であって、
閉状態にて通話することができると共に、
閉状態での通話中から開状態としても通話を継続させることができる通話制御部を有することを特徴とする重ね型携帯電話機。
【請求項２】
閉状態にて前記第１，第２筐体の互いに対向する面以外の面に少なくとも一つの補助操作部を有し、
前記通話制御部は、閉状態にて着信を受けた場合に、前記補助操作部の操作によりオフフックするように制御することを特徴とする請求項１に記載の重ね型携帯電話機。
【請求項３】
前記第１筐体と前記第２筐体は両筐体を貫く方向に設けられた軸を中心に互いに回動可能となるように連結され、
前記マイクは前記軸と反対側の前記第２筐体の端部に設けられ、
前記スピーカーは、前記軸の近傍に配置された第１スピーカーと、前記軸からこの第１スピーカーより遠く離れた位置で第１スピーカーと共に前記表示部を挟むように配置された第２スピーカーを有し、
前記通話制御部は、閉状態にてオフフックした場合には、前記第１スピーカーを動作させて前記第２スピーカーを動作させないようにし、かつ閉状態での通話中から開状態とした場合には、前記第２スピーカーを動作させて前記第１スピーカーを動作させないように制御することを特徴とする請求項２に記載の重ね型携帯電話機。
【請求項４】
前記通話制御部は、前記開状態での通話中から再度閉状態とすると通話の切断をするように制御することを特徴とする請求項１ないし請求項３のいずれかに記載の重ね型携帯電話機。
【請求項５】
前記第１筐体と前記第２筐体の開閉を検出する開閉状態検出部を有することを特徴とする請求項１ないし請求項４のいずれかに記載の重ね型携帯電話機。
【発明の詳細な説明】
【０００１】
【発明の属する技術分野】
本発明は、互いに重ね合わせ可能に連結された複数の筐体から構成される重ね型携帯電話機に関するものである。
【０００２】
【従来の技術】
【特許文献１】特開平１１−２１５２１８号公報
【特許文献２】特開２００２−１４１９８４号公報
【特許文献３】特開２００２−１３５３８０号公報
【特許文献４】特開平７−２８８８６０号公報
【特許文献５】特開２０００−１９６７２０号公報
【０００３】
従来は、２つの筐体を折り畳むことが可能な折り畳み型携帯電話機として、図７に示すような折り畳み型携帯電話機２が一般的に知られている。この折り畳み型携帯電話機２は、一方の筐体４の内側面１０に出力情報を表示するＬＣＤ（液晶ディスプレイ）等の表示面１２及びスピーカー１３が設けられており、他方の筐体６の内側面１４に主操作部１７及びマイク１５が設けられている。
【０００４】
主操作部１７には、表示面１２に表示される項目を選択することができるように、上下左右の方向に指示することができる十字キー１８、数字や文字を入力することができるテンキー２０、その他各種のキーが配置されている。
【０００５】
しかしながら、図７に示すような折り畳み型携帯電話機２においては、一方の筐体４と他方の筐体６が折り畳まれているときには、これを開いてからでなければ表示面１２を見ることができず、折り畳んだ状態では表示面１２に情報を出力しても閲覧することができないといった問題があった。
【０００６】
このような開く手間がかかって煩わしいという問題を解決するために、折り畳んだ状態又はこれに相当する状態にした場合であっても、表示面１２が外側に向くようにしたものがある。このような携帯電話機としては、例えば前記特許文献１、特許文献２、及び特許文献３に記載されているような重ね型携帯電話機がある。
【０００７】
これらの重ね型携帯電話機は、連結される２つの筐体を開いた状態では、図７に示す折り畳み型携帯電話機２の姿勢と同様に、一方の筐体に設けられている表示面が外側を向いている。しかしながら、前記折り畳み型携帯電話機２とは異なり、２つの筐体の連結部で、一方の筐体を１８０度捻りながら折り畳んで重ねることができる構造になっているので、２つの筐体が重ねた状態となってもその表示面が外側に向くようにすることができる。
【０００８】
また、他の従来の重ね型携帯電話機としては、前記特許文献４に記載されているものがある。この重ね型携帯電話機は、表示面が設けられている一方の筐体と、操作部が設けられている他方の筐体が、表示面と操作部を同じ方向に向けて重ねた状態で、これらの２つの筐体を貫く方向に設けられた軸により連結されている。
【０００９】
この重ね型携帯電話機は、一方の筐体が他方の筐体に対し、軸を中心として扇子を広げるような動作により開くことができ、また、表示面が外側に向いたままで２つの筐体を重ねた状態にしておくことができるようになっている。
【００１０】
これらの重ね型携帯電話機は、表示面が外側に向くようにして、２つの筐体を重ねた状態にしておくことができるので、２つの筐体を重ねた状態のままで表示面に出力した情報を閲覧することができるが、通話をする場合には、前記折り畳み型携帯電話機２と同様に、２つの筐体を開いた状態で行うようになっている。
【００１１】
一方、前記特許文献５に記載されている重ね型携帯電話機は、２つの筐体を重ねた状態のままで表示面に出力した情報を閲覧することができると共に、２つの筐体を重ねた状態のままで通話を行うことができるようになっている。
【００１２】
【発明が解決しようとする課題】
しかしながら、前記特許文献１、特許文献２、特許文献３、及び特許文献４により開示された技術では、着信があった場合には２つの筐体を開かなければ通話をすることができない。
【００１３】
このため、通話を行うのに手間がかかるとともに、着信に気付くのが遅れた場合に、相手側が電話を切る前に通話可能な状態にすることができず、相手に不愉快な思いをさせてしまい、携帯電話機としての利便性を充分に満足することができなかった。
【００１４】
一方、前記特許文献５により開示された技術によれば、閉じた状態でも通話を行うことができるため、直ちに通話の可能な状態にすることができるものの、閉じた状態のままでは小型化された携帯電話機の長さが短く、スピーカーをユーザーの耳元に近づけた場合に、マイクがユーザーの口元に届かないため、違和感を覚えるという問題があった。
【００１５】
そこで本発明は、２つの筐体を重ねた閉状態のままでも直ちに通話の可能な状態にすることができると共に、通話の際にマイクが口元に届かないことによりユーザーが違和感を覚えるということのない重ね型携帯電話機を提供することを課題とするものである。
【００１６】
【課題を解決するための手段】
上記課題を解決するために本発明は、
少なくとも表示部とスピーカーを有する第１筐体と、少なくとも主操作部とマイクを有する第２筐体とが開閉可能に連結され、
前記主操作部は閉状態にて前記第１筐体により塞がれ且つ開状態にて外側に露出すると共に、前記表示部の表示面及びスピーカーは閉状態及び開状態のいずれの状態でも外側に露出させることが可能な重ね型携帯電話機であって、
閉状態にて通話することができると共に、
閉状態での通話中から開状態としても通話を継続させることができる通話制御部を有することを特徴とするものである。
【００１７】
また、閉状態にて前記第１，第２筐体の互いに対向する面以外の面に少なくとも一つの補助操作部を設け、前記通話制御部は、閉状態にて着信を受けた場合に、前記補助操作部の操作によりオフフックするように制御することを特徴とするものである。
【００１８】
このような重ね型携帯電話機によれば、２つの筐体を重ねた閉状態のままでも通話することができるため、着信があった場合、従来の携帯電話機のように、重ねられていた２つの筐体を開くことなく、補助操作部の操作によって直ちに通話することができる。そのため、着信に気付くのが遅れたとしても相手側が呼び出しを切る前に着信を受けることができる。
【００１９】
また、閉状態で通話の際にマイクが口元に届かなくて通話に違和感がある場合、閉状態で発信した後又は着信を受けた後、開状態にして電話機を長くして、通話の際にマイクが口元に届くようにした後も通話を継続することができるため、従来の携帯電話機と同様に違和感なく通話することができる。
【００２０】
なお、前記第１筐体と前記第２筐体が両筐体を貫く方向に設けられた軸を中心に互いに回動可能となるように連結され、前記マイクは前記軸と反対側の前記第２筐体の端部に設けられ、前記スピーカーは、前記軸の近傍に配置された第１スピーカーと、前記軸からこの第１スピーカーより遠く離れた位置で第１スピーカーと共に前記表示部を挟むように配置された第２スピーカーを有するような構造としたとき、前記通話制御部は、閉状態にてオフフックした場合には、前記第１スピーカーを動作させて前記第２スピーカーを動作させないようにし、かつ閉状態での通話中から開状態とした場合には、前記第２スピーカーを動作させて前記第１スピーカーを動作させないように制御することが好ましい。
【００２１】
また、前記通話制御部は、前記開状態での通話中から再度閉状態とすると通話の切断をするように制御することが好ましい。このような重ね型携帯電話機によれば、通話を終えて電話機を携帯する場合、開状態から携帯性の良い閉状態とする動作と共に、通話の切断を同時に行うことができるため、操作性を高めることができる。
【００２２】
【発明の実施の形態】
以下、本発明に係る重ね型携帯電話機の実施の形態について、図面に基づいて具体的に説明する。
図１ないし図６は、本発明の一実施の形態に係る重ね型携帯電話機３０について説明するために参照する図である。これらの図に示す重ね型携帯電話機３０は、従来の折り畳み型携帯電話機２と同様の部分には同じ符号を付して説明し、従来と同様の構成についての重複する説明は省略するものとする。
【００２３】
この重ね型携帯電話機３０は、図１及び図２に示すように、第１筐体３２と第２筐体３４で構成され、第１筐体３２と第２筐体３４を貫く方向に設けられた軸３６により連結されている。
【００２４】
重ね型携帯電話機３０は、第１筐体３２と第２筐体３４を重ねた状態でも表示面１２を外側から見ることができるようにするため、第１筐体３２の第２筐体３４と反対側の面に表示部１１を設けてある。また、第１筐体３２と第２筐体３４を重ねた状態でも操作することができるように、第１筐体３２及び第２筐体３４のそれぞれの側面３８，４０には、補助操作部としてのサイドキー４２と３方向レバー４４が設けられている。
【００２５】
そして、第１筐体３２には、スピーカー１３ａ，１３ｂが、第１筐体３２と第２筐体３４を重ねた状態でもその発する音が聞こえるように、表示部１１が配置されている面に設けられている。そして、スピーカー１３ａとスピーカー１３ｂは、軸３６からの距離がスピーカー１３ａの方がスピーカー１３ｂよりも大きくなるように配置される。本実施の形態に係る重ね型携帯電話機３０は、スピーカー１３ａとスピーカー１３ｂが、表示部１１を挟んで第１筐体３２の両端部の各々の位置に配置されるようになっている。
【００２６】
また、マイク１５は、軸３６と反対側の第２筐体３４の端部に設けられるようにしてあり、本実施の形態では第１筐体３２と第２筐体３４を重ねた状態でも第１筐体に隠れないようにするため、第２筐体３４の軸３６と反対側の端面に設けられている。
【００２７】
重ね型携帯電話機３０は、第１筐体３２と第２筐体３４が重ねられた状態から、軸３６を中心にして、第１筐体３２を矢印ａに示すように１８０度回動することにより，図３及び図４に示すように、第２筐体３４に設けられた主操作部１７が外側に見えるような、開いた状態にすることができる。
【００２８】
また、このとき表示面１２及びスピーカー１３ａ，１３ｂは、主操作部１７と略同じ方向を向いた状態で回動するため、開いた状態でも表示面１２を外側から見ることができ、スピーカー１３ａ又は１３ｂから発せられる音も聞くことができる。
【００２９】
なお、本実施の形態に係る重ね型携帯電話機３０は、第１筐体３２が軸３６を中心にして回動するような構造としたが、これとは別の実施の形態として、レール等を設けて、図１に示した状態から第１筐体３２が、第２筐体３４に対して矢印ｂで示す方向にスライドする構造としてもよい。
【００３０】
或は、前記特許文献２等に記載された発明のように、第１筐体３２と第２筐体３４が連結されて、この連結部が折り畳み動作と捻り動作を共にすることができるような構造としたものであってもよい。
【００３１】
したがって、重ね型携帯電話機をこれらのような構造としても、本実施の形態に係る重ね型携帯電話機３０と同様に、図１及び図２に示すような状態や、図３及び図４に示すような状態にすることができる。このため、本発明では、図１及び図２に示すような状態を「重ねた状態」又は「閉状態」といい、図３及び図４に示すような状態を「開状態」ということとする。そして、「閉状態」から「開状態」にすることを「開動作」ということとする。
【００３２】
なお、重ね型携帯電話機３０は、図４に示すように、その背面にカメラ４６、鏡４８、録画用マイク５０を備えており、これらは、開状態でも、或は閉状態でも動作することができる。
【００３３】
次に、主操作部１７、サイドキー４２及び３方向レバー４４等について説明する。重ね型携帯電話機３０は、図３に示すように、開状態では、第２筐体３４の内側に設けられている主操作部１７内の十字キー１８及びテンキー２０等を操作することができる。このとき誤動作を防止するために、サイドキー４２及び３方向レバー４４によって行われる操作は無効となるようにする。
【００３４】
図５に示すように、閉状態で使用する３方向レバー４４は、同図中上方向（矢印ｃ方向）及び下方向（矢印ｄ方向）に回動することができ、そしてセンター方向（矢印ｅ方向）に押し込むことができるようになっている。
【００３５】
そして、閉状態において、重ね型携帯電話機３０が有する電話帳機能を利用することにより、相手先と電話番号等の一覧を表示面１２に表示している場合に、３方向レバー４４を図５中の上下方向に回動したときには、一覧の中から通話しようとする相手の選択をすることができ、それを選択した状態で３方向レバー４４を同図中のセンター方向に押し込んだときには、選択した相手に発信することができるようになっている。また、閉状態で着信があったときには、３方向レバー４４を同図中のセンター方向に押し込むことにより、通話状態にすることができるようになっている。
【００３６】
また、図１ないし図４に示すサイドキー４２は、押し込むことのみができるようになっている。閉状態のままで通話をしているときに、通話を終了しようとする場合には、サイドキー４２を押し込むことにより、通話を切断することができる。
【００３７】
図６は、重ね型携帯電話機３０の回路図を示し、符号６０に示す各種機能部や表示部１１は制御部６２に制御されて動作するようになっている。また、主操作部１７、３方向レバー４４、サイドキー４２が操作された場合には、その操作に対応する信号が制御部６２に出力される。
【００３８】
また、通話の際に動作するスピーカー１３ａ，１３ｂ及びマイク１５は、特に制御部６２内の通話制御部６３に制御される。スピーカー１３ａ，１３ｂは、それぞれが独立して動作することができるように、それぞれが別個に通話制御部６３に制御される。また、マイク１５は、ゲイン調整部１６を介して通話制御部６３に制御されて、その感度が調整されるようになっている。
【００３９】
この回路図において示される開閉状態検出部６４は、図１ないし図４において図示されていないが、第１筐体３２と第２筐体３４が閉状態にあるか、或は開状態にあるのかを検出して、制御部６２にその旨の信号を出力するものである。
【００４０】
このような開閉状態検出部６４としては、例えば第１筐体３２の回動により導通する接点を設けるようにしてもよいし、機械的スイッチやセンサーを設けるようにしてもよい。
【００４１】
次に、重ね型携帯電話機３０の動作について説明する。
重ね型携帯電話機３０を閉状態にしたとき、開閉状態検出部６４はこれを検出して制御部６２にその旨の信号を出力する。この状態で発信操作をするには、電話帳機能を利用して表示面１２に相手先と電話番号等の一覧を表示した後、３方向レバー４４を図５中の上下方向に回動して通話しようとする相手を選択し、３方向レバー４４を同図中のセンター方向に押し込んで発信する。また、着信があったときには、３方向レバー４４を同図中のセンター方向に押し込んでオフフックすることにより通話状態にすることができる。
【００４２】
閉状態で発信操作を行うか又は着信を受けることにより、通話状態になったときには、制御部６２内の通話制御部６３はスピーカー１３ａを動作させないようにし、スピーカー１３ｂを受話部として動作させ、またマイク１５を送話部として動作させるようにする。また、スピーカー１３ｂをユーザーの耳に近づけたときには、マイク１５は口元に届かないので、マイク１５の感度を上げるために、通話制御部６３はゲイン調整部１６のゲインを上げるように制御する。
【００４３】
そして、ユーザーが閉状態での通話中にマイク１５が口元に届かないことに違和感を覚えて、開動作を行った場合には、開閉状態検出部６４がこれを検出して制御部６２にその旨の信号を出力する。このとき制御部６２内の通話制御部６３はスピーカー１３ａを受話部として動作させると共に、マイク１５を送話部として動作させ、かつスピーカー１３ｂを動作させないようにする。また、マイク１５の感度を通常に戻すため、通話制御部６３はゲイン調整部１６のゲインを下げるように制御する。
【００４４】
そして、開状態において、通話を終了しようとする場合には、再度閉状態にすることにより、開閉状態検出部６４がこれを検出して制御部６２にその旨の信号を出力し、制御部６２内の通話制御部６３は通話を自動的に切断するようにもなっている。
【００４５】
なお、本実施の形態に係る重ね型携帯電話機３０は、従来の重ね型携帯電話機と同様に、開状態において、主操作部１７の操作により発信すること、着信を受けること、及び通話を切断することができることはいうまでもない。また、閉状態において、発信するか又は着信を受けて、閉状態のまま通話をした場合には、サイドキー４２を押し込むことにより通話を切断することができる。
【００４６】
また、本実施の形態に係る重ね型携帯電話機３０では、補助操作部を第１筐体３２及び第２筐体３４の各側面３８，４０に配置した例を示したが、これ以外に第１筐体３２の表示部１１が配置された面や第２筐体３４の主操作部１７が配置された面と隣り合う端面など、閉状態にて第１筐体３２と第２筐体３４の互いに対向する面以外の面に配置してあれば良い。
【００４７】
ただし、閉状態における片手での操作性を考慮すると、補助操作部は第１筐体３２の表示部１１が配置される面と隣り合う側面及び／又は第２筐体３４の主操作部１７が配置される面と隣り合う側面に設けることが好ましい。
【００４８】
以上、本発明に係る重ね型携帯電話機の実施の形態について示したが、本発明は、重ね型携帯電話機が３つ以上の筐体により構成されている場合であっても、同様の技術的思想に基づいて適用することができることはいうまでもない。
【００４９】
【発明の効果】
以上説明したように、本発明の重ね型携帯電話機によれば、２つの筐体を重ねた閉状態のままでも通話することができるため、着信があった場合、従来の携帯電話機のように、重ねられていた２つの筐体を開くことなく、補助操作部の操作によって直ちに通話することができる。そのため、着信に気付くのが遅れたとしても相手側が呼び出しを切る前に着信を受けることができる。
【００５０】
また本発明の重ね型携帯電話機によれば、閉状態での通話中にマイクが口元に届かなくて通話に違和感がある場合、閉状態から開状態にして電話機を長くして、通話の際にマイクが口元に届くようにした後も通話を継続することができるため、従来の携帯電話機と同様に違和感なく通話することができる。
【図面の簡単な説明】
【図１】本発明の一実施の形態に係る重ね型携帯電話機３０を示す正面図である。
【図２】図１における重ね型携帯電話機３０の左側面図である。
【図３】図１における重ね型携帯電話機３０の開いた状態を示す正面図である。
【図４】図３に示した状態の重ね型携帯電話機３０の背面図である。
【図５】図１における３方向レバー４４を示す部分拡大図である。
【図６】図１における重ね型携帯電話機３０の回路図である。
【図７】従来の折り畳み型携帯電話機２を示す斜視図である。
【符号の説明】
２  折り畳み型携帯電話機
４，６  筐体
１０  内側面
１１  表示部
１２  画像表示面
１３ａ，１３ｂ  スピーカー
１４  内側面
１５  マイク
１６  ゲイン調整部
１７  主操作部
１８  十字キー
２０  テンキー
３０  重ね型携帯電話機
３２  第１筐体
３４  第２筐体
３６  軸
３８，４０  側面
４２  サイドキー
４４  ３方向レバー
４６  カメラ
４８  鏡
５０  録画用マイク
６０  各種機能部
６２  制御部
６３  通話制御部
６４  開閉状態検出部
【図１】
2004166054.tif 000003
【図２】
2004166054.tif 000004
【図３】
2004166054.tif 000005
【図４】
2004166054.tif 000006
【図５】
2004166054.tif 000007
【図６】
2004166054.tif 000008
【図７】
2004166054.tif 000009